(57)【特許請求の範囲】
【請求項１】
輸液バック・ボトル収納袋であって、
相対的に内側に位置付けられた内袋体と相対的に外側に位置付けられた外袋体とから成る二重袋構造を有しており、
前記輸液バック・ボトル収納袋が互いに対向する２つの開口端を備え、該２つの開口端の一方が前記内袋体の開口端から構成されるのに対して、該２つの開口端の他方が前記外袋体の開口端から構成されており、また
前記外袋体を貫通するように前記内袋体が該外袋体から一部突出している、輸液バック・ボトル収納袋。
【請求項２】
前記内袋体の前記開口端が前記外袋体の底部から突出していることを特徴とする、請求項１に記載の輸液バック・ボトル収納袋。
【請求項３】
前記内袋体の長手方向軸と前記外袋体の長手方向軸とが互いに整合していることを特徴とする、請求項１または２に記載の輸液バック・ボトル収納袋。
【請求項４】
前記外袋体の外面が露出しないように該外袋体の少なくとも一部が裏返されていることを特徴とする、請求項１〜３のいずれかに記載の輸液バック・ボトル収納袋。
【請求項５】
前記外袋体に折り目が少なくとも１つ設けられるように又は前記外袋体がロール状に巻き上げられるように、該外袋体が前記裏返されていることを特徴とする、請求項４に記載の輸液バック・ボトル収納袋。
【請求項６】
前記内袋体の底部に切欠き開口部が設けられていることを特徴とする、請求項１〜５のいずれかに記載の輸液バック・ボトル収納袋。
【請求項７】
前記内袋体および前記外袋体の双方の前記開口端にて密閉機構が設けられていることを特徴とする、請求項１〜６のいずれかに記載の輸液バック・ボトル収納袋。
【請求項８】
前記外袋体から前記一部突出している前記内袋体の突出部分には、前記輸液バック・ボトル収納袋を吊り下げるための開口部が設けられていることを特徴とする、請求項１〜７のいずれかに記載の輸液バック・ボトル収納袋。
【請求項９】
前記内袋体の側面積Ｓ内袋が前記外袋体の側面積Ｓ外袋の８０％以下となるように該内袋体が該外袋体よりも小さくなっていることを特徴とする、請求項１〜８のいずれかに記載の輸液バック・ボトル収納袋。
【請求項１０】
前記外袋体と前記内袋体とが相互に重なっていない非オーバーラップ部分であって、該外袋体の前記開口端と該内袋体の底部との間に位置する該非オーバーラップ部分が、輸液バック・ボトルの栓体に取り付けた接続部品の寸法よりも大きいことを特徴とする、請求項１〜９のいずれかに記載の輸液バック・ボトル収納袋。
【請求項１１】
前記輸液バック・ボトル収納袋が、がん治療に用いられる抗がん剤バックまたは抗がん剤ボトルを収納するための袋であることを特徴とする、請求項１〜１０のいずれかに記載の輸液バック・ボトル収納袋。
【請求項１２】
前記内袋体の前記底部に設けられた前記切欠き開口部に輸液デバイスまたはその一部が予め取り付けられていることを特徴とする、請求項６に従属する請求項７〜１１のいずれかに記載の輸液バック・ボトル収納袋。
【請求項１３】
請求項１〜１２のいずれかに記載の輸液バック・ボトル収納袋を製造する方法であって、
（ｉ）内袋体および外袋体を用意する工程、
（ｉｉ）前記内袋体の開口端と前記外袋体の開口端とが前記輸液バック・ボトル収納袋の相互に対向する開口端を成すように、相対的に内側に位置付けた該内袋体の該開口端を相対的に外側に位置付けた該外袋体の底部から突出させる工程、ならびに
（ｉｉｉ）前記外袋体の前記底部と前記内袋体とを互いに接合させる工程
を含んで成る、輸液バック・ボトル収納袋の製造方法。
【発明の詳細な説明】
【技術分野】
【０００１】
本発明は、輸液バック・ボトル収納袋に関すると共に、その製造方法に関する。より詳細には、本発明は、特に医療分野で用いられる輸液バックまたは輸液ボトルを収容するための袋に関すると共に、かかる袋の製造方法に関する。
【背景技術】
【０００２】
現在、がんの主たる治療法として外科療法、放射線療法および化学療法などが存在する。このような治療法は、がんの種類や患者の全身状態などに応じて単独または併用して実施される。その中でも化学療法は、抗がん剤を点滴液などとして投与してがん細胞を殺傷するものであり、全身への薬効が一般に期待できる。【０００３】
抗がん剤はすべてのがんに対して同様に使用されるわけでなく、がんの発症部位や病期によって抗がん剤の種類を変える必要がある。これは、がん患者に応じて抗がん剤の種類が異なっており、個々のがん患者に適した処方がなされることを意味している。従って、抗がん剤の調剤のため混合調製（ミキシング）なる操作が一般になされる。混合調製された抗がん剤は最終的には“輸液バック”または“輸液ボトル”に収納された状態で得られ、抗がん剤の点滴液として使用される。【０００４】
ここで、抗がん剤自体は、がん細胞の殺傷効果を奏するものの、同時に他の細胞にも作用してしまう。つまり、がん細胞のみならず、正常細胞にも作用し得るので、抗がん剤の取り扱いには細心の注意が必要である。このような観点に照らせば、患者のみならず、抗がん剤の点滴液を取り扱う医療従事者が抗がん剤に曝されないように対策を取ることが重要である。
【先行技術文献】
【非特許文献】
【０００５】
【非特許文献１】Nursing Mook 32 がん化学療法の理解とケア（編集：長場直子（神奈川県立足利上病院副看護局長）、発行人：藤沼稔、発行所：株式会社学習研究社、印刷：日本写真印刷株式会社、２００５年１２月３０日発行）
【発明の概要】
【発明が解決しようとする課題】
【０００６】
抗がん剤曝露を防ぐものとして、抗がん剤の混合調製時や患者のベッドサイドでの投与準備時に起こり得る曝露を防止することが考えられる。本願発明者は、特に輸液バックまたは輸液ボトル（以下では「輸液バック・ボトル」とも称する）の取扱いに関連した抗がん剤曝露の問題点に気付き、そのための対策を取る必要性を見出した。【０００７】
具体的には以下の問題があることを本願発明者は見出した。薬剤師による混合調製やプライミング時において抗がん剤が飛散したり漏れたりする可能性があるところ、薬剤師自身は手袋をはめているので一般的に曝露の虞が少ない。薬剤師自身が曝露されないものの、混合調製やプライミングを経た輸液バック・ボトルには飛散・漏れに起因した抗がん剤が付着している可能性があり、それ以降に輸液バック・ボトルを扱う者にとっては曝露の危険にさらされる。つまり、抗がん剤が充填された輸液バック・ボトルを扱う者は知らずに抗がん剤曝露の危険にさらされている可能性がある。より具体的にいえば、看護師・患者自らが「病院の薬剤部から供された輸液バック・ボトル」を使用して抗がん剤投与を行う際、当然ながら輸液バック・ボトルを手で扱う作業が必要になるが、その輸液バック・ボトルの外面には抗がん剤が既に付着している可能性があり、それゆえ看護師・患者らが抗がん剤に曝される虞がある。【０００８】
本発明はかかる事情に鑑みて為されたものである。即ち、本発明の主たる目的は、特に輸液バック・ボトルの取扱いに関連した抗がん剤曝露防止または抗がん剤曝露低減に資する技術・手段を提供することである。
【課題を解決するための手段】
【０００９】
本願発明者は、従来技術の延長線上で対応するのではなく、新たな方向で対処することによって上記目的の達成を試みた。その結果、上記目的が達成された輸液バック・ボトル収納袋の発明に至ると共に、その使用方法および製造方法の発明にも至った。【００１０】
本発明では、特異な二重構造を有する輸液バック・ボトル収納袋が提供される。具体的には、本発明の輸液バック・ボトル収納袋は、
相対的に内側に位置付けられた内袋体と相対的に外側に位置付けられた外袋体とから成る二重袋構造を有しており、
輸液バック・ボトル収納袋が互いに対向する２つの開口端を備え、その２つの開口端の一方が“内袋体の開口端”から構成されるのに対して、２つの開口端の他方が“外袋体の開口端”から構成されている。【００１１】
本発明に係る輸液バック・ボトル収納袋の特徴の１つは、相互に対向する２つの開口端が互いに別個のサブ袋体から構成されていることである。より具体的には、本発明の輸液バック・ボトル収納袋は、互いに対向する２つの開口端の一方が“内袋体の開口端”から構成されるのに対して、互いに対向する２つの開口端の他方が“外袋体の開口端”から構成されている。【００１２】
本明細書で用いる『輸液バック・ボトル』といった表現は、医療分野または介護分野などで用いられる輸液バックまたは輸液ボトルのことを指している。それゆえ、本発明における『輸液バック・ボトル収納袋』は、かかる輸液バックまたは輸液ボトルを少なくとも収納・収容するための袋のことを実質的に意味している。【００１３】
ある好適な態様では、本発明の輸液バック・ボトル収納袋は、外袋体を貫通するように内袋体が外袋体から一部突出している。つまり、「相対的に内側に位置付けられた内袋体」が「相対的に外側に位置付けられた外袋体」の内部から外部へと部分的に露出している。【００１４】
好ましくは、内袋体の開口端が外袋体の底部から突出している。つまり、外袋体から一部突出している内袋体の“突出部分”は内袋体の開口端に相当することが好ましく、それゆえ、かかる内袋体の開口端が外袋体の底部（外袋体の開口端と対向する底部の端部）から突出していることが好ましい。【００１５】
ある好適な態様では、輸液バック・ボトル収納袋において内袋体の長手方向軸と外袋体の長手方向軸とが互いに整合している。例えば、輸液バック・ボトル収納袋において内袋体の長手方向軸と外袋体の長手方向軸とが互いに平行な関係を有している。かかる好適な態様では、例えば外袋体と外袋体とが互いに同一軸上に整列するように配置され（即ち、内袋体の長手方向軸と外袋体の長手方向軸とが実質的に同一線上に位置し）、内袋体および外袋体が輸液バック・ボトル収納袋にて対称的な配置関係を有することが好ましい。【００１６】
本発明に係る輸液バック・ボトル収納袋は、少なくとも外袋体が折り畳み又は折り曲げできる程度の可撓性または柔軟性を有している。つまり、内袋体および外袋体の２つの構成要素のうち少なくとも外袋体は折り畳み・折り曲げできる程度の可撓性または柔軟性を有している。【００１７】
ある好適な態様では、外袋体の外面が露出しないように外袋体の少なくとも一部が裏返されている。つまり、外袋体の外面が露出しないように外面を内側にする一方、外袋体の内面の少なくとも一部が露出するようにして外袋体が折り返されている。例えば、外袋体に折り目が少なくとも１つ設けられるように外袋体が裏返されていることが好ましく、あるいは、外袋体がロール状に丸めて巻き上げられるように外袋体が裏返されていることが好ましい。【００１８】
ある好適な態様では、内袋体の底部に切欠き開口部が設けられている。つまり、内袋体においては、その開口端と対向する内袋端に切欠き開口部が設けられている。換言すれば、相対的に内側に位置付けられた内袋体の底側端部においては「内袋体を部分的に切欠くことで形成された開口部」が設けられているといえる。【００１９】
ある好適な態様では、内袋体および外袋体の双方の開口端に密閉機構（密封機構）が設けられている。つまり、輸液バック・ボトル収納袋の互いに対向する２つの開口端には「袋内部を外部から遮断するための密閉機構（密封機構）」が設けられている。【００２０】
ある好適な態様では「輸液バック・ボトル収納袋を吊り下げるための開口部」が設けられている。特に、外袋体の底部から一部突出する内袋体の突出部分に「輸液バック・ボトル収納袋を吊り下げるための開口部」が設けられていることが好ましい。【００２１】
本発明の輸液バック・ボトル収納袋では内袋体が外袋体よりも小さくなっている。この点、内袋体の側面積Ｓ内袋が外袋体の側面積Ｓ外袋の８０％以下となっていることが好ましい。つまり、「内袋体を構成する対向する２つの側面体の各々の面積Ｓ内袋」が「外袋体を構成する対向する２つの側面体の各々の面積Ｓ外袋」の８０％以下となっていることが好ましい。【００２２】
ある好適な態様では、外袋体と内袋体とが重なっていない袋部分に相当する“非オーバーラップ部分”が、輸液バック・ボトル（輸液バック・ボトル収納袋と共に使用される輸液バック・ボトル）の栓体に取り付けた接続部品の寸法よりも大きくなっている。特に「内袋体の底部」と「外袋体の開口端」との間に位置する“非オーバーラップ部分”の寸法が、輸液バック・ボトルの栓体に取り付けた接続部品の寸法よりも大きくなっていることが好ましい。【００２３】
本発明において輸液バック・ボトルは、がん治療に用いられる抗がん剤バックまたは抗がん剤ボトルであってよく、それゆえ、本発明の袋はがん治療に用いられる袋であってよい。つまり、本発明に係る輸液バック・ボトル収納袋は、好ましくはがん治療用袋といえる。また、袋に収納された輸液バック・ボトルは、その収納された状態のまま運ぶことができるので、本発明に係る輸液バック・ボトル収納袋は、収納袋のみならず運搬袋にもなっている。【００２４】
更にいえば、本発明に係る輸液バック・ボトル収納袋は、輸液バック・ボトルを収納または運搬するための収納袋・運搬袋となっているのみならず、輸液バック・ボトルを廃棄するための廃棄袋となっている。特に、がん治療に用いられるための“収納袋・運搬袋”かつ“廃棄袋”となっている。換言すれば、本発明に係る輸液バック・ボトル収納袋は、好ましくは、がん治療用の収納・運搬・廃棄のための袋であるといえる。【００２５】
特に“廃棄袋”となっている場合、「内袋体の底部」と「外袋体の密閉機構」との内側領域に形成される袋内容積が、輸液バック・ボトルに接続された輸液デバイスを少なくとも収納できる容積を有している。つまり、外袋体の密閉機構を閉じる封止を行った際に、「内袋体の底部」と「外袋体の密閉機構」との間に形成される空間が有し得る体積は、輸液バック・ボトルに接続された輸液デバイスの体積よりも大きくなっていることが好ましい。尚、本明細書における「輸液デバイス」とは、輸液バック・ボトルからの輸液供給に資するデバイス・部品のことを指しており、例えば特に制限されるわけではないが点滴チューブおよび／または“曝露防止システム”など、輸液操作に関連する各種接続部品のことを意味している。【００２６】
更に別のある好適な態様では、「内袋体の底部に設けられた切欠き開口部」に輸液デバイスが予め取り付けられている。つまり、本発明に係る輸液バック・ボトル収納袋は、輸液バック・ボトルに必要とされる輸液デバイスまたはそのデバイスの一部などが予め袋の“切欠き開口部”（より正確には「内袋体の底部に設けられた切欠き開口部」の周囲の袋体部分）に取り付けられた形態を有していてよい。【００２７】
本発明では、上記の輸液バック・ボトル収納袋を使用する方法も提供される。これにつき、本発明の「輸液バック・ボトル収納袋の使用方法」は、
（ａ）外袋体の外面が露出しないように外袋体の少なくとも一部を裏返した状態しておくこと、
（ｂ）輸液バック・ボトルを内袋体の開口端から挿入して輸液バック・ボトルを内袋体の内側に納めること、また
（ｃ）外袋体の裏返し状態を解いて、外袋体と内袋体とから成る二重袋体の内部に輸液バック・ボトルを収容すること
を含んで成る。【００２８】
本発明の使用方法の特徴の１つは、輸液バック・ボトル収納時における輸液バック・ボトル収納袋の取り扱いにある。具体的には、輸液バック・ボトル収納袋をその外袋体の外面が露出しないように裏返し、かかる裏返した状態の収納袋に対して輸液バック・ボトルを収納し、次いで、外袋体の裏返し状態を解くことを行う。【００２９】
ある好適な態様では、輸液バック・ボトルの輸液剤の調製に先立って、外袋体の裏返し状態を得ておく。つまり、輸液バック・ボトルを実際の医療現場に供すべく行う調製に先立って、外袋体を予め裏返した状態で設けておく。例えば、かかる調製は、個々のがん患者の抗がん剤が充填された輸液バック・ボトルを得るべく行われる混合調製であり、そのような抗がん剤の混合調製に先立って外袋体を裏返した状態にしておく。【００３０】
ある好適な態様では、上記（ａ）において、外袋体に折り目が少なくとも１つ設けられるように又は外袋体がロール状に巻き上げられるように、かかる外袋体を裏返した状態に設けておく。【００３１】
ある好適な態様では、上記（ｃ）において、使用者が外袋体の外面（本来の外面）を触れずに外袋体の裏返し状態を解く。つまり、輸液バック・ボトルを取り扱う者が外袋体の外面（本来の外面）を実質的に触れずその内面のみを触れる条件下で外袋体の裏返し状態を解く。【００３２】
ある好適な態様では、上記（ｃ）の後、内袋体および外袋体の双方の開口端を密閉する。つまり、輸液バック・ボトルを内袋体の内側へと納めた後、輸液バック・ボトル収納袋の互いに対向する２つの開口端に対して閉鎖する操作を行う。【００３３】
上記（ｂ）では、輸液バック・ボトルの栓体に取り付けられた接続部品が内袋体の切欠き開口部から突出した形態となるように輸液バック・ボトルを収めることが好ましい。つまり、かかる接続部品が内袋体の切欠き開口部を貫通するように輸液バック・ボトルを内袋体の内側へと納めることが好ましい。【００３４】
ある好適な態様では、輸液バック・ボトル収納袋内に一旦収納した輸液バック・ボトルをその輸液バック・ボトル収納袋から取り出さずに輸液バック・ボトル収納袋内に収めた状態で点滴を行う。つまり、輸液バック・ボトルを用いた点滴を、収納に用いた輸液バック・ボトル収納袋が輸液バック・ボトルに全体として覆い被さった状態で行う。尚、輸液バック・ボトルの接続部品のフランジ部が切欠き開口部の周囲の内袋体によって支持され、それによって、輸液バック・ボトルから接続部品が離脱されるのを防止することが好ましい。つまり、点滴に際しては、輸液バック・ボトルから接続部品が離脱しないように輸液バック・ボトルの接続部品のフランジ部が「切欠き開口部を形造る内袋体ボディ部（切欠き開口部近傍の内袋体ボディ部）」によって支持されることが好ましい。【００３５】
ある好適な態様では、点滴の後、輸液バック・ボトルが袋に収容された状態をそのまま維持することによって、袋を廃棄袋として用いる。つまり、点滴後において、輸液バック・ボトルを袋から一旦取り出したりすることなく、そのまま廃棄袋として袋を使用する。かかる場合、内袋体および外袋体の双方の開口端の密閉機構をそれぞれ閉状態にして袋の再封止を行うことが好ましい。つまり、廃棄に際しては「内袋体の開口端の密閉機構」および「外袋体の開口端の密閉機構」をそれぞれ機能させて袋密閉に寄与する“閉じ操作”を行い、封止を行う。また、そのように廃棄袋として使用するに際しては、輸液バック・ボトルに接続されている輸液デバイスを袋内部へと収納することが好ましい。つまり、廃棄袋として使用するに際して、輸液バック・ボトルのみならず、輸液デバイスをも袋内部に収めることが好ましい。より好ましくは、廃棄袋として使用するに際して輸液バック・ボトルのみならず、輸液デバイスも袋内部（特に「内袋体の底部」と「外袋体の密閉機構」との間に形成される空間）に収めて袋の再封止を行い、そのように再封止された袋をその中身ごと（即ち、袋内に収められた輸液バック・ボトルおよび輸液デバイスごと）廃棄する。このような態様は、輸液デバイスを輸液バック・ボトルから取り外すことなく、そのまま袋に収めて廃棄する態様に相当する。【００３６】
本発明では、上記の輸液バック・ボトル収納袋を製造する方法も提供される。これにつき、本発明の「輸液バック・ボトル収納袋の製造方法」は、
（ｉ）内袋体および外袋体を用意する工程、
（ｉｉ）内袋体の開口端と外袋体の開口端とが輸液バック・ボトル収納袋の相互に対向する開口端を成すことになるように「相対的に内側に位置付けた内袋体の開口端」を「相対的に外側に位置付けた外袋体の底部」から突出させる工程、ならびに
（ｉｉｉ）外袋体の底部と内袋体とを互いに接合させる工程
を含んで成る。【００３７】
本発明の製造方法の特徴の１つは、内袋体の開口端と外袋体の開口端とがそれぞれ「輸液バック・ボトル収納袋の相互に対向する２つの開口端」を構成することになるように、外袋体の底部から内袋体の開口端を露出させ、次いで、外袋体の底部と内袋体の開口端領域とを互いに接合することである。
【発明の効果】
【００３８】
本発明に従えば、輸液バック・ボトルの取扱いに関連した抗がん剤曝露の防止または低減を好適に図ることができる。特に、混合調製やプライミング時に飛散・漏れなどが生じて輸液バック・ボトルに抗がん剤が付着したとしても、それ以降にて輸液バック・ボトルを扱う者が知らずに曝露される危険が減じられる。【００３９】
具体的には、本発明の輸液バック・ボトル収納袋は、輸液バック・ボトルの収納後における最終的な外面が抗がん剤で汚染されておらず（又は汚染が低減されており）、それゆえ、輸液バック・ボトルを使用する者が抗がん剤に曝露される危険が減じられる。【００４０】
実際の使用態様に鑑みて説明すると次のようになる。本発明の輸液バック・ボトル収納袋の使用に際しては、外袋体の外面が露出しないようにその外面を内側にする一方、外袋体の内面の少なくとも一部が露出するように外袋体を裏返しておく。このように裏返した形態の輸液バック・ボトル収納袋に対して「抗がん剤が付着している可能性のある輸液バック・ボトル」を収納することになる。収納に際しては、輸液バック・ボトル収納袋の露出面が抗がん剤で汚染される可能性があるものの、かかる露出面は“外袋体の内面の一部”および“内袋体の外面の一部”に相当するので、最終的には輸液バック・ボトル収納袋の外側面を成すことがない。つまり、輸液バック・ボトルの収納後にて外袋体の裏返し状態を解くことによって、収納前・収納時に袋の露出面を成していた“外袋体の内面の一部”および“内袋体の外面の一部”が輸液バック・ボトル収納袋の内側面を成すようになる一方、収納前・収納時に袋の露出面を成さず、それゆえに汚染されていない“外袋体の外面”が輸液バック・ボトル収納袋の最終的な外側面を成すようになる（後述で参照する図９および図１０参照のこと）。従って、輸液バック・ボトルを収納した輸液バック・ボトル収納袋は、最終的には、その外側露出面が抗がん剤で汚染されておらず、それ以降に輸液バック・ボトルを扱う者が知らずに曝露される危険が排除される。
【図面の簡単な説明】
【００４１】
【図１】図１は、本発明の輸液バック・ボトル収納袋を示した模式図である。
【図２】図２は、本発明の輸液バック・ボトル収納袋の構成を模式的に示した平面図および展開図である。
【図３】図３は、本発明の輸液バック・ボトル収納袋を模式的に示した平面図である。
【図４】図４は、本発明の輸液バック・ボトル収納袋の使用時（点滴使用時）の態様を模式的に示した斜視図および断面図である。
【図５】図５は、本発明の輸液バック・ボトル収納袋の裏返し態様（外袋体に折り目が少なくとも１つ設けられるような裏返し態様）を模式的に示した斜視図である。
【図６】図６は、本発明の輸液バック・ボトル収納袋の裏返し態様（外袋体がロール状に巻き上げられるような裏返し態様）を模式的に示した斜視図である。
【図７】図７は、内袋体および外袋体の側面積Ｓ内袋，Ｓ外袋の範囲を示した模式図である。
【図８】図８は、内袋体の底部と外袋体の開口端との間に位置する“非オーバーラップ部分”を示した模式図である。
【図９】図９は、本発明の使用方法を模式的に示した平面図である。
【図１０】図１０は、本発明の使用方法を模式的に示した斜視図である。
【図１１】図１１は、本発明の輸液バック・ボトル収納袋の使用時（点滴使用時）の変更態様を模式的に示した斜視図である。
【図１２】図１２は、輸液デバイス取付け態様（曝露防止具などが設けられた予めの取付け態様）を説明するための模式図である。
【図１３】図１３は、輸液デバイス取付け態様（輸液セットなどが設けられた予めの取付け態様）を説明するための模式図である。
【図１４】図１４は、輸液デバイス取付け態様に係る本発明の使用方法を模式的に示した斜視図である。
【図１５】図１５は、本発明の製造方法を示した模式図である。
【図１６】図１６は、本発明に係る輸液バック・ボトル収納袋（切込み部分を備えた袋）を示した模式図である。
【発明を実施するための形態】
【００４２】
添付図面を参照して本発明を詳細に説明する。まず、本発明の輸液バック・ボトル収納袋を説明し、それに伴って又はその後において、輸液バック・ボトル収納袋の使用方法および製造方法を説明する。
【００４３】
本明細書で用いる“方向”については次の通り規定する。輸液バック・ボトルの収納時に輸液バック・ボトルと袋との相対的な位置関係が変化する方向（即ち、輸液バック・ボトルを袋内部に収納する際に輸液バック・ボトルを移動させる方向）を「丈方向」とし、それに直交する方向を「幅方向」とする。これらの方向は図面（図１）に示している。典型的な輸液バック・ボトル収納袋でいえば、輸液バック・ボトル収納袋の“長手方向”が「丈方向」に相当し、輸液バック・ボトル収納袋の“短手方向”が「幅方向」に相当する。
【００４４】
≪輸液バック・ボトル収納袋≫
図１は、本発明に係る輸液バック・ボトル収納袋の外観を示しており、図２は、かかる輸液バック・ボトル収納袋の構成要素をより具体的に示した展開図を示している。図示するように、本発明に係る輸液バック・ボトル収納袋３００は、内袋体１００と外袋体２００とから成る二重袋構造を有している。「内袋体１００」は、輸液バック・ボトルを収納した際に相対的に内側に位置付けられるサブ袋体である一方、「外袋体２００」は、輸液バック・ボトルを収納した際に相対的に外側に位置付けられるサブ袋体である。つまり、輸液バック・ボトル収納袋３００において、内袋体１００は外袋体２００よりも全体として内側に位置付けられている一方、外袋体２００は内袋体１００よりも全体として外側に位置付けられている。
【００４５】
全体としてみると、輸液バック・ボトル収納袋は“互いに対向する２つの開口端”を備えている。図示する態様から分かるように、輸液バック・ボトル収納袋３００は、その丈方向において相互に対向する２つの開口端ＡおよびＢを有している。本発明では、かかる２つの開口端の一方（図示する態様では“開口端Ａ”）が内袋体１００の開口端１１０から構成されるのに対して、２つの開口端の他方（図示する態様では“開口端Ｂ”）が外袋体２００の開口端２１０から構成されている。つまり、輸液バック・ボトル収納袋３００では、相対的に内側に位置付けられた内袋体１００の開口端Ａ（１１０）と、相対的に外側に位置付けられた外袋体２００の開口端Ｂ（２１０）とが、その輸液バック・ボトル収納袋３００の丈方向において互いに対向している。
【００４６】
本明細書において「開口端」とは、全体として開口した形態を有する袋端部のことを意味している。換言すれば、「開口端」は、袋体の底側端部と対向した位置（袋体の丈方向において袋底と対向した位置）にあって、袋体の幅方向に沿って全体的に開口した形態を有する袋体の端部である。つまり、「開口端」は、端部エッジが全体として開いた形態を有している。
【００４７】
本発明の輸液バック・ボトル収納袋は、あくまでも輸液バックまたは輸液ボトルを収納することができる袋である。それゆえ、袋サイズなどは輸液バック・ボトルの収納に好適なものとなっている。図２に示される態様でいうと、輸液バック・ボトル収納袋３００の全体丈寸法Ｌ袋全体丈は、好ましくは１１ｃｍ〜４４ｃｍであり、より好ましくは１７ｃｍ〜３３ｃｍであるのに対して、輸液バック・ボトル収納袋の全体幅寸法Ｗ袋全体幅は、好ましくは７ｃｍ〜２８ｃｍであり、より好ましくは１１ｃｍｍ〜２１ｃｍである。更にいえば、図２に示される内袋体の丈寸法Ｌ内袋丈は、好ましくは９ｃｍ〜３５ｃｍであり、より好ましくは１４ｃｍ〜２７ｃｍであり、内袋体の幅寸法Ｗ内袋幅は、好ましくは６ｃｍ〜２３ｃｍであり、より好ましくは９ｃｍ〜１７ｃｍである。尚、輸液バック・ボトル収納袋を輸液バック・ボトルのための廃棄袋として用いる場合（“廃棄袋”として用いる態様は後述を参照）、全体丈寸法Ｌ袋全体丈はより大きくてもよく、例えば１５ｃｍ〜６０ｃｍ程度であってもよい。
【００４８】
図１に示すように、本発明の輸液バック・ボトル収納袋３００では、外袋体２００を貫通するように内袋体１００が外袋体２００から一部突出している。特に、外袋体２００の底部２２０から内袋体１００が一部突出していることが好ましい。つまり、図示するように、外袋体２００の内側に設けられている内袋体１００は、その一部のみが底部２２０において外袋体２００の内部から外部へとはみ出すように延在している。より具体的には、外袋体２００の一端を成す底部２２０（外袋体２００の開口部２１０と丈方向にて対向している底端）において内袋体１００が外袋体２００の内部から外部へと部分的に露出している。
【００４９】
本明細書において「外袋体の底部」とは、輸液バック・ボトル収納袋を構成する外袋体において、その開口端と丈方向にて対向する袋端部ことを意味している。かかる外袋体の底部は、内袋体が貫通している箇所を除いて全体として閉じた又は密閉された袋端形態を有している。
【００５０】
外袋体の底部から突出している内袋体の“一部突出部”につき詳述しておく。“一部突出部”は、内袋体の丈長さの５％〜２０％の長さの分だけ丈方向に突出していることが好ましく、内袋体の丈長さの８％〜１５％の長さの分だけ丈方向に突出していることがより好ましい。具体的な寸法でいうと、“一部突出部”の丈方向長さＬ突出部（図２参照）は、好ましくは７ｍｍ〜２８ｍｍであり、より好ましくは１１ｍｍ〜２１ｍｍ（例えば約１７ｍｍ）である。尚、輸液バック・ボトル収納袋を輸液バック・ボトルのための廃棄袋として用いる場合（“廃棄袋”として用いる態様は後述を参照）、“一部突出部”の量はより大きくてもよく、例えば、内袋体の丈長さの２５％〜６５％（例示すると４０％〜６０％）に相当する長さ分が丈方向に突出していてよい。
【００５１】
外袋体の底部から突出している“一部突出部”は内袋体の開口端に相当することが好ましい。つまり、図１に示すように、内袋体１００の開口端１１０が外袋体２００の底部２２０から突出するように設けられていることが好ましい。本発明の輸液バック・ボトル収納袋３００では、内袋体１００の開口端１１０が外袋体２００の底部２２０から突出するような形態となるように“内袋体１００の開口端Ａ（１１０）”と“外袋体２００の開口端Ｂ（２１０）”とが丈方向にて互いに対向しているといえる。
【００５２】
図３に示すように、外袋体の底部から一部突出している内袋体の突出部分には「輸液バック・ボトル収納袋を吊り下げるための開口部１１５」が設けられていることが好ましい。つまり、「輸液バック・ボトル収納袋を吊り下げるための開口部１１５」が、外袋体２００の内部から外部へと露出するように延在した内袋体１００の“一部突出部”に設けられている。より具体的には、内袋体１００の開口端Ａ（１１０）の近傍に「輸液バック・ボトルを吊り下げるための開口部１１５」が設けられていることが好ましい。かかる場合、図４に示すように、開口部１１５を利用して開口端Ａ（１１０）の近傍領域を吊下げ用フック部４００に引っ掛けることができるので、内袋体１００の開口端Ａ（１１０）が上側となる一方、外袋体２００の開口端Ｂ（２１０）が下側となるように輸液バック・ボトル収納袋３００を吊り下げることができる。このように、本発明における開口部１１５は、輸液バック・ボトル収納袋の使用時において吊下げ用フック部４００との係合・係止に資する。
【００５３】
開口部１１５は内袋体１００のボディを貫通する形態を有している。かかる開口部１１５の形態自体は、特に制限されるものでなく、矩形状、正四角状、円形状または楕円状などであってよい。開口部１１５のサイズは、輸液バック・ボトル収納袋の吊下げ（即ち、吊下げ用フック部４００との係合・係止）にとって好適なものであればよく、例えば図３に示す態様でいえば、短手寸法Ｄ開口部短手が好ましくは１．５ｍｍ〜６．５ｍｍ程度、より好ましくは２．５ｍｍ〜５ｍｍ程度（例えば約４ｍｍ）である一方、長手寸法Ｄ開口部長手が好ましくは９ｍｍ〜４０ｍｍ程度、より好ましくは１６ｍｍ〜３０ｍｍ程度（例えば約２４ｍｍ）である。
【００５４】
本発明の輸液バック・ボトル収納袋３００では、内袋体１００と外袋体２００とが互いに好適な整列関係を有している。具体的には、図２に示すように、輸液バック・ボトル収納袋３００において内袋体１００の長手方向軸Ａ内袋と外袋体の長手方向軸Ｂ外袋とが互いに整合している。換言すれば、内袋体と外袋体とが互いに同一軸上に整列するように配置されており（又はそれぞれの長手方向軸が互いに平行な関係を有するように配置されており）、それゆえ、内袋体および外袋体が輸液バック・ボトル収納袋において対称的な配置関係を有している。
【００５５】
ここでいう「長手方向軸Ａ内袋」とは、内袋体につきその幅中央部を通るように延在する長手方向・丈方向の軸を意味している（図２下側左図参照）。同様にして、「長手方向軸Ｂ外袋」とは、外袋体につきその幅中央部を通るように延在する長手方向・丈方向の軸を意味している（図２下側右図参照）。図２に示す態様から分かるように、ある１つの好適な態様の輸液バック・ボトル収納袋３００においては、内袋体１００の長手方向軸Ａ内袋と外袋体の長手方向軸Ｂ外袋とが互いに平行または一致するように内袋体１００と外袋体２００とが整合している。このような態様（特に“一致する”態様）では、輸液バック・ボトル収納袋３００（特にその平面図）は、その長手方向軸（即ち、長手方向軸Ａ内袋または長手方向軸Ｂ外袋）を中心に線対称な形態を有し得る。
【００５６】
図３に示すように、本発明の輸液バック・ボトル収納袋３００では、内袋体１００の底部に切欠き開口部１４０が設けられている。つまり、「内袋体を部分的に切欠くことで形成された開口部１４０」が底部１２０に設けられている。図示するように、切欠き開口部１４０は、内袋体１００の底部においてその略中央部分に設けられていることが好ましい。切欠き開口部１４０は、輸液バック・ボトルに接続される輸液デバイスのための開口部として用いることができる。例えば、図３の括弧内に示すように、切欠き開口部１４０は、輸液バック・ボトル５００の接続部品５５０のための開口部として用いることができる。具体的には、切欠き開口部１４０は、輸液バック・ボトルの栓体に取り付けた接続部品５５０を内袋体１００の内部から外部へと延在させるのに資する。輸液バック・ボトル収納袋の使用時においては、図４に示すように、接続部品５５０の一部が内袋体１００から露出するように輸液バック・ボトル収納袋３００を吊り下げることができ、好適な点滴が可能となる。
【００５７】
輸液バック・ボトル収納袋３００は、切欠き開口部１４０が接続部品５５０の離脱防止に資する点で特に特徴を有している。本発明の輸液バック・ボトル収納袋３００は、輸液バック・ボトルの収納に使用できるだけでなく、点滴時にも使用できるものであるが、かかる点滴使用時において接続部品５５０が輸液バック・ボトルから外れないように切欠き開口部１４０が好適に機能し得る。従来においては、図４の右下括弧内に示すように、フック部４００’などに対して輸液バック・ボトル５００’を直接的に吊り下げていたところ、接続部品５５０’が輸液バック５００’から外れてしまう懸念があった。具体的には、従来では接続部品５５０’から延びる点滴チューブ５７０’などが偶発的に引っ張られてしまうと、接続部品５５０’と輸液バック５００’との間には相互に引き離される力が生じ、結果として、接続部品５５０’が輸液バック５００’の栓体から抜けてしまう可能性があった。接続部品５５０’が抜けてしまうと、その際に輸液バック５００’に充填されている抗がん剤などの輸液剤が漏れる虞があり、抗がん剤曝露の危険にさらされ得る。
【００５８】
本発明における切欠き開口部１４０は、その周囲が接続部品５５０のフランジ部５５０ａを支持するように機能するので（図４の下側図参照）、仮に点滴チューブ５７０が偶発的に引っ張られたとしても、接続部品５５０と輸液バック・ボトル５００との間には相互に引き離す力が過度に生じることはなく、結果として、接続部品５５０の離脱が防止される。より具体的にいえば、点滴チューブ５７０の偶発的な引張りなどに起因して接続部品５５０に下方の力が加えられたとしても、接続部品５５０のフランジ部５５０ａが切欠き開口部１４０の周囲の袋体に係止されるので、かかる力が効果的に吸収される。即ち、切欠き開口部１４０の周囲の袋体に起因して、接続部品５５０に働く下方向の力に対して“反作用の力”がフランジ部５５０ａに働くことになり、接続部品５５０と輸液バック・ボトル５００との間を相互に引き離す力は実質的に生じないようになっている。このような切欠き開口部１４０に関連した効果が効果的に奏されることによって、接続部品５５０の輸液バック・ボトルからの離脱が結果として防止される。かかる観点に照らせば、内袋体１００に設けられた切欠き開口部１４０は、輸液バック・ボトルの接続部品のための「離脱防止用開口部」と称することもできる。
【００５９】
“離脱防止用開口部”としての切欠き開口部１４０の形態自体は、特に制限されるものでなく、矩形状、正四角状、円形状または楕円状などであってよい。切欠き開口部１４０のサイズは、接続部品の離脱防止にとって好適なものであればよいので、接続部品５５０の胴部よりも大きいものの、そのフランジ部５５０ａのよりも小さいことが好ましい。例えば図３に示す態様でいえば、短手寸法Ｄ切欠き部短手が好ましくは３ｍｍ〜１３ｍｍ程度、より好ましくは５ｍｍ〜１０ｍｍ程度（例えば約８ｍｍ）である一方、長手寸法Ｄ切欠き部長手が好ましくは６ｍｍ〜２３ｍｍ程度、より好ましくは９ｍｍ〜１７ｍｍ程度（例えば約１４ｍｍ）である。
【００６０】
本発明の輸液バック・ボトル収納袋３００においては、内袋体および外袋体の２つの構成要素のうち少なくとも外袋体が十分な可撓性または柔軟性を有している。より具体的には、外袋体が折り畳み又は折り曲げできる程度の可撓性または柔軟性を有していることが好ましい。つまり、輸液バック・ボトル収納袋の二重構造を成す外袋体は、少なくとも約１８０°折り返すように裏返すことが可能であり、そのように裏返したとしても割れ・欠けなどの物理的損傷が実質的に引き起こされないようになっている。
【００６１】
例えば、内袋体および外袋体はプラスチック材質から成る袋体であってよい。つまり、内袋体および外袋体は、それぞれプラスチック・フィルムから成っていてよい。外袋体および内袋体のプラスチック・フィルムの具体的な材質としては、低密度ポリエチレン（例えば、高圧法低密度ポリエチレン、直鎖状低密度ポリエチレン）、中密度ポリエチレン、高密度ポリエチレン、ポリプロピレン（例えば、インフレーション・ポリプロピレン、二軸延伸ポリプロピレン、無延伸ポリプロピレン）、エチレン−プロピレン共重合体などのポリオレフィン系樹脂、ポリエステル系樹脂、ポリ塩化ビニル系樹脂、ポリスチレン系樹脂、ポリアミド系樹脂、ポリブテン系樹脂、ポリメチルペンテン系樹脂、ポリアクリル系樹脂、ポリアクリルニトリル系樹脂、ビニロンおよびナイロンから成る群から選択される少なくとも１種を挙げることができる。このようなプラスチック・フィルムから成る内袋体および外袋体につき、フィルム厚さは、特に制限されるわけではないが、好ましくは５〜３０００μｍであり、より好ましくは１０〜１０００μｍであり、更に好ましくは２〜５００μｍである。袋体のフィルム厚さが５μｍ未満であると袋体の強度的に問題が生じ得る一方、３０００μｍを超えると“十分な可撓性”が損なわれ得る。
【００６２】
また、内袋体および／または外袋体を成すフィルムは、遮光フィルムであることが好ましい（つまり、内袋体および／または外袋体は遮光袋体であることが好ましい）。特に輸液バック・ボトル内の輸液を好適に保護すべく、袋体を成すフィルムが紫外線遮断フィルムとなっていることが好ましい。特に限定されるものではないが、上記プラスチック・フィルム等に紫外線吸収剤を混ぜ込んでよく、あるいは、上記プラスチック・フィルム等の表面に紫外線カット材から構成された層を設けてもよい。かかる紫外線吸収剤または紫外線カット材は、輸液バック・ボトルの当業者にとって知られているものを使用してよい。
【００６３】
使用時の態様に鑑みると、本発明の輸液バック・ボトル収納袋３００は、外袋体の外面が露出しないように外袋体が裏返されていることが好ましい。つまり、外袋体の外面が露出しないように外袋体の外面を内側にする一方、外袋体の内面の少なくとも一部が露出するようにして外袋体が折り返されて裏返しされていることが好ましい。
【００６４】
図５に示すように、例えば、外袋体２００に折り目が少なくとも１つ設けられるように外袋体２００が裏返されていてよい。つまり、輸液バック・ボトル収納袋３００は、その外袋体２００が折り畳まれるような形態となっていてよい。“折り目が１つ”の場合を例示すると、図示されるように、外袋体２００の丈方向の略中央ポイントＰが折返し点となっており、外袋体２００の開口端２１０の位置が変わるように外袋体２００が裏返され、それによって、外袋体の外面が外部へと露出しないようになっている。特に好ましくは、外袋体の外面が露出することがないように、折り返された外袋体２００の開口端２１０が外袋体２００の底部２２０と同じ位置あるいはそれを超える位置となっている。また、“折り目が２つ”の場合では、図５の下側に示されるように、“折り目が１つ”の場合の裏返された外袋体２００における略中央ポイントＰ’が次の折返し点となり、外袋体２００の“１つ折り目の折返し部”（即ち、折り目が１つの場合に得られた折り返し部）が外袋体２００の底部と同じ位置あるいはそれを超える位置となるように外袋体２００が裏返されている。いずれの場合であっても、裏返しされた輸液バック・ボトル収納袋は、外袋体の内面の少なくとも一部が露出しているものの、外袋体の外面は露出していない。裏返しされた輸液バック・ボトル収納袋３００を全体的にみると、折り返された外袋体２００から内袋体１００が突出した形態となる。
【００６５】
図５に示されるように、外袋体２００が裏返された状態の輸液バック・ボトル収納袋３００は、その露出面があくまでも“外袋体の内面の一部３１５”および“内袋体の外面の一部３１６”となっている（特に図５の括弧内の斜視図参照）。つまり、「抗がん剤が付着している可能性のある輸液バック・ボトル」を輸液バック・ボトル収納袋３００に収納するに際して抗がん剤で汚染される可能性がある面は“外袋体の内面の一部３１５”および“内袋体の外面の一部３１６”となる。それゆえ、輸液バック・ボトルの収納後に外袋体の裏返し状態を解くと、収納前・収納時に袋の露出面を成していた“外袋体の内面の一部３１５”および“内袋体の外面の一部３１６”が輸液バック・ボトル収納袋の内側面を成すようになる一方、収納前・収納時に袋の露出面を成しておらず汚染されていない“外袋体の本来の外面”が輸液バック・ボトル収納袋の最終的な外側面を成すようになる。よって、輸液バック・ボトルの収納が完全に完了した後においては、その露出面たる外面は抗がん剤で汚染されておらず、抗がん剤に曝露される危険が減じられる。
【００６６】
輸液バック・ボトル収納袋３００は、その外袋体２００が折り畳まれるような形態となっていることに限定されず、図６に示すように、外袋体２００がロール状に巻き上げられるような形態となっていてもよい。具体的には、外袋体の外面を内側にして外袋体２００の開口端２１０を基点に幾重にも巻回するように裏返されていてよく、それによって、外袋体の外面が露出しないようになっている。かかる形態であっても、輸液バック・ボトル収納袋は、外袋体の内面の少なくとも一部が露出しているものの、外袋体の外面は露出していない。このように裏返しされた輸液バック・ボトル収納袋３００を全体的にみると、外袋体２００の巻回部から内袋体１００が突出した形態となっている。そして、かかる形態を有する輸液バック・ボトル収納袋であっても、その露出面があくまでも“外袋体の内面の一部３１５”および“内袋体の外面の一部３１６”となっているので、抗がん剤曝露が未然防止される。つまり、輸液バック・ボトルの収納後にて外袋体の巻回状態を解くと（即ち、ロール状に巻き上げられた状態を解くと）、収納前・収納時に袋の露出面を成していた“外袋体の内面の一部３１５”および“内袋体の外面の一部３１６”が輸液バック・ボトル収納袋の内側面を成すようになる一方、収納前・収納時に袋の露出面を成しておらず汚染されていない“外袋体の外面”が輸液バック・ボトル収納袋の最終的な外側面を成すようになり、それ以降において抗がん剤曝露が防止される。
【００６７】
本発明の輸液バック・ボトル収納袋３００は、輸液バック・ボトルの収納に好適に供するものであり、その観点からいえば、内袋体および外袋体の少なくとも一方の開口端に密閉機構が設けられている。本明細書において「密閉機構」とは、袋体内部と袋体外部とを遮断することができる機構を指している。具体的には、密閉機構は、それを機能させて“閉状態”にすると、袋体内部と袋体外部との間を遮断できる一方、“開状態”にすると、袋体内部と袋体外部との間を連通させることができる。図３に示すように、内袋体１００および外袋体２００の双方の開口端に密閉機構３５０が設けられていることが好ましい。つまり、輸液バック・ボトル収納袋３００は、互いに対向する２つの開口端においてそれぞれ密閉機構３５０を有していることが好ましい。例えば、密閉機構は、雄型嵌合部と雌型嵌合部から成るジッパーであってよい。かかるジッパーは開口端を自在に開閉できる点で望ましい。また、それに限定されず、密閉機構はスライダー式チャック、線ファスナー、面ファスナーなどの形態を有するものであってもよい。いずれの形態であっても、密閉機構によって、内袋体の開口端および／または外袋体の開口端が開閉自在となることが好ましい。
【００６８】
本発明の輸液バック・ボトル収納袋では内袋体が外袋体よりも小さくなっている。この点、輸液バック・ボトルの好適な収納の観点のみならず、その使用の観点から内袋体の側面積Ｓ内袋が外袋体の側面積Ｓ外袋の８０％以下となっていることが好ましい（図７参照）。つまり、「内袋体を構成する対向する２つの側面体の各々の面積Ｓ内袋」が「外袋体を構成する対向する２つの側面体の各々の面積Ｓ外袋」の８０％以下となっていることが好ましい。図示する態様から分かるように、「内袋体の側面積Ｓ内袋」とは、輸液バック・ボトル収納袋の内袋体を構成する２つの対向する側面体の主面の面積を指しており、それゆえ、図７にて平面図として示される内袋体の面積を意味している。同様にして、「外袋体の側面積Ｓ外袋」とは、輸液バック・ボトル収納袋の外袋体を構成する２つの対向する側面体の主面の面積を指しており、それゆえ、図７にて平面図として示される外袋体の面積を意味している。
【００６９】
上述したように、内袋体の側面積Ｓ内袋が外袋体の側面積Ｓ外袋の８０％以下となっていることが好ましく、それゆえ、「Ｓ内袋≦Ｓ外袋×０．８」の関係式を満たすことが好ましい。より好ましくは、内袋体の側面積Ｓ内袋が外袋体の側面積Ｓ外袋の８０％以下かつ４０％以上であり（即ち、「Ｓ外袋×０．４≦Ｓ内袋≦Ｓ外袋×０．８」）、更に好ましくは内袋体の側面積Ｓ内袋が外袋体の側面積Ｓ外袋の８０％以下かつ６０％以上である（即ち、「Ｓ外袋×０．６≦Ｓ内袋≦Ｓ外袋×０．８」）。かかる場合、輸液バック・ボトルの接続部品５５０が内袋体１００から突出するように輸液バック・ボトルを収納したとしても、その接続部品を外袋体の内側に納めやすくなり（図８参照）、それゆえ、輸液バック・ボトルの収納時および使用時の双方の観点から望ましくなる。
【００７０】
接続部品を外袋体の内側に好適に納めやすくする点でいえば、外袋体と内袋体とが重なっていない袋部分に相当する非オーバーラップ部分が、輸液バック・ボトルの栓体に取り付けた接続部品の寸法よりも大きくなっていることが好ましい。図８に示すように、特に内袋体の底部と外袋体の開口端との間に位置する“非オーバーラップ部分”（図面中の“斜線”を入れた部分）が、輸液バック・ボトルの栓体に取り付けた接続部品５５０の寸法よりも大きくなっていることが好ましい。より具体的にいえば、図示するように、内袋体の底部と外袋体の開口端との間の長さＬ非オーバーラップが「接続部品５５０のフランジ部５５０ａから先端部５５０ｂまでの長さＬ接続部品」よりも大きくなっている、即ち、Ｌ非オーバーラップ＞Ｌ接続部品の関係式を満たすようになっている。このような条件を満たせば、接続部品を外袋体の内側に確実に納めることができ、輸液バック・ボトルの収納時および使用時の双方の点で望ましい。
【００７１】
上述したように、本発明の輸液バック・ボトル収納袋は、抗がん剤曝露の未然防止に資する。つまり、本発明の輸液バック・ボトル収納袋は、特にがん治療に用いられる抗がん剤バックまたは抗がん剤ボトルを収納する袋として用いるのに適している。換言すれば、本発明の輸液バック・ボトル収納袋３００は好ましくは“抗がん剤バック・ボトル収納用袋”となっている。かかる“抗がん剤バック・ボトル収納用袋”であるがゆえに、特に、外袋体２００に折り目が少なくとも１つ設けられるように又は外袋体２００がロール状に巻き上げられるように外袋体２００が裏返された形態を有し得るといえる。また、“抗がん剤バック・ボトル収納用袋”であるがゆえに、内袋体および／または外袋体は遮光袋体であることが好ましいともいえる。
【００７２】
≪輸液バック・ボトル収納袋の使用方法≫
次に、上述した輸液バック・ボトル収納袋を使用する方法について説明する。本発明の「輸液バック・ボトル収納袋の使用方法」は、輸液バック・ボトル収納時における袋の取り扱いに特徴を有する。
【００７３】
図９および図１０を参照しながら、本発明の使用方法を説明する。かかる図９および図１０は、それぞれ、輸液バック・ボトル収納時における輸液バック・ボトル収納袋３００の経時変化を示している。ここで、図９（ａ）〜９（ｃ）と図１０（ａ）〜１０（ｃ）とは、アルファベット添部が同じものであれば、それぞれ相互に同じ時点の状態を示している。
【００７４】
まず、本発明の使用方法の第１操作として、外袋体の外面が露出しないように外面を内側にして外袋体の少なくとも一部を裏返した状態しておく。具体的には、図９（ａ）および図１０（ａ）に示すように、外袋体２００の外面が露出しないようにその外面を内側にする一方、外袋体の内面の少なくとも一部が露出するようにして外袋体２００を折り返して裏返した状態にすることが好ましい。図示する態様では、外袋体２００に折り目が少なくとも１つ設けられるように外袋体を裏返している。かかる第１操作では、外袋体２００の一部を裏返すように折り返すことになるが、外袋体２００の開口端がその外袋体２００の底部と同じ位置あるいはそれを超える位置になるように折り返すことが好ましい。
【００７５】
外袋体に折り目が少なくとも１つ設けられるように折り曲げて裏返し状態を得ることに代えて、外袋体がロール状に巻き上げられることで裏返し状態を得てもよい。即ち、図６に示したように、外袋体の外面を内側にして外袋体２００の開口端２１０を基点に幾重にも巻回するように裏返し、それによって、外袋体の外面が露出しないようにしてよい。このようにロール状に巻き上げて裏返しされた輸液バック・ボトル収納袋であっても、外袋体の内面の少なくとも一部が露出しているのに対して、外袋体の外面は露出していない。
【００７６】
本発明の使用方法の第１操作は、輸液バック・ボトルの輸液剤の調製に先立って行っておくことが好ましい。つまり、輸液バック・ボトルの輸液剤の調製に先立って外袋体を折り返した状態にしておくことが好ましい。例えば、かかる調製は、個々のがん患者の抗がん剤が充填された輸液バック・ボトルを得るべく行われる混合調製であり、かかる混合調製に先立って外袋体を裏返した状態にしておく。このように混合調製に先立って第１操作を実施しておくと、かかる混合調製以降であって輸液バック・ボトル収納後までの一時的な期間において輸液バック・ボトル収納袋の露出面を成すのが“外袋体の内面の一部”および“内袋体の外面の一部”となり、露出しない“外袋体の外面”を輸液剤の汚染から防ぐことができる。
【００７７】
第１操作に引き続いて、第２操作を実施する。つまり、輸液バック・ボトルを内袋体の開口端から挿入して輸液バック・ボトルを内袋体の内側に納める。より具体的には、図９（ｂ）および図１０（ｂ）に示すように、輸液バック・ボトルをその栓体側から挿入するように、内袋体の開口端を介して輸液バック・ボトル収納袋の二重袋体の内側へと収納する。
【００７８】
かかる第２操作に際しては「抗がん剤で汚染された可能性がある輸液バック・ボトル」が輸液バック・ボトル収納袋へと収納されることになる。つまり、薬剤師による混合調製やプライミング時においては抗がん剤が飛散や漏れたりする虞があるところ、そのような混合調製やプライミングを経た輸液バック・ボトルにおいては飛散・漏れに起因した抗がん剤が付着している可能性がある。
【００７９】
よって、第２操作で輸液バック・ボトルを内袋体の内側に納めるに際しては、輸液バック・ボトル収納袋の露出面が抗がん剤で汚染される可能性があるといえる。つまり、第２操作時において輸液バック・ボトル収納袋の露出面を成す“外袋体の内面の一部分３１５”および“内袋体の外面の一部３１６”が抗がん剤で汚染される可能性がある（図９（ｂ）および図１０（ｂ）参照）。第１操作によって外袋体を裏返して外袋体の内面を輸液バック・ボトル収納袋としての袋外面にしたからである。しかしながら、第２操作時において輸液バック・ボトル収納袋としての袋外面にならず、即ち、輸液バック・ボトル収納袋の露出面を成していない外袋体の本来の外面は、輸液バック・ボトルの収納時に抗がん剤で汚染されることはない。第１操作によって外袋体の本来の外面は、それを内側にして裏返すように折り返された状態にされているからである。
【００８０】
尚、第２操作に際しては、輸液バック・ボトルの栓体に取り付けた接続部品が内袋体の切欠き開口部から突出した形態となるように輸液バック・ボトルを収めることが好ましい。つまり、かかる接続部品が内袋体の切欠き開口部を貫通するように輸液バック・ボトルを内袋体の内側に納めることが好ましい。輸液バック・ボトル収納袋は、輸液バック・ボトルを用いた点滴時においてもそのまま使用されるところ、その使用に適した形態で輸液バック・ボトルを収納しておくことが望ましいからである。図９（ｂ）の右側に示すように、接続部品５５０のフランジ部５５０ａが切欠き開口部１４０の周囲の袋体に接するまで、輸液バック・ボトルの接続部品５５０を切欠き開口部１４０から突出させてよい。切欠き開口部１４０は、輸液バック・ボトルの使用時において輸液バック・ボトルの接続部品５５０の「離脱防止用開口部」として機能するところ、それに最も適した形態で輸液バック・ボトルを収納しておくことが望ましいからである。尚、図９（ｂ）および９（ｃ）に示されるように、最終的には（下記の“第３操作”の実施後には）、切欠き開口部１４０から突出させた輸液バック・ボトルの接続部品５５０は外袋体２００に覆われた状態になり得る。
【００８１】
第２操作に引き続いて、第３操作を実施する。つまり、外袋体の裏返し状態を解いて、外袋体と内袋体とから成る二重袋体の内部に輸液バック・ボトルを収容する。より具体的には、図９（ｃ）および図１０（ｃ）に示すように、第１操作で得られた“外袋体の裏返し状態”を元の状態へと戻す。これにより、収納時に袋の露出面を成していた“外袋体の内面の一部３１５”および“内袋体の外面の一部３１６”が輸液バック・ボトル収納袋の内側面を成すようになる一方、収納時に袋の露出面を成さず、それゆえに汚染されていない“外袋体の本来の外面”が輸液バック・ボトル収納袋の最終的な外側面を成すようになる。従って、輸液バック・ボトルを収納した輸液バック・ボトル収納袋は、最終的には、その外側露出面が抗がん剤で汚染されておらず、それ以降に輸液バック・ボトルを扱う者が知らずに曝露される危険が排除される。
【００８２】
第３操作では、使用者が外袋体の本来の外面を実質的に触れずに裏返し状態を解くことが好ましい。つまり、“外袋体の内面の一部３１５”および“内袋体の外面の一部３１６”のみに触れる条件下で輸液バック・ボトルを取り扱う者が外袋体の裏返し状態を解くことが好ましい。例えば、裏返しを効果的に解くために外袋体の開口端は指で摘んでもよい。これにより、“外袋体の本来の外面”を実質的に触れることなく“外袋体の裏返し状態”を元の状態へと効率的に戻すことができる。従って、本明細書において「外袋体の外面を実質的に触れない」といった表現およびそれに類する表現は、輸液バック・ボトル収納後において外袋体の外面の大部分（より具体的には、外袋体の開口端流域を除いた外袋体の外面）を実質的に使用者が触れない態様を意味している。
【００８３】
外袋体の裏返し状態を解いた後、内袋体および外袋体の双方の開口端を密閉することが好ましい。つまり、輸液バック・ボトルを内袋体の内側に納めた後、密閉機構３５０によって輸液バック・ボトル収納袋の互いに対向する２つの開口端を閉鎖する（図１０（ｃ）参照）。これにより、抗がん剤の曝露防止をより確実に図ることができる。つまり、第２操作時において輸液バック・ボトル収納袋の露出面を成しており、それゆえに抗がん剤で汚染された可能性がある“外袋体の内面の一部分３１５”および“内袋体の外面の一部３１６”が、２つの開口端の密閉操作によって外界から確実に遮断されることになる。
【００８４】
（抗がん剤治療時における本発明の使用方法）
輸液バック・ボトル収納袋は、特にがん治療に用いられる抗がん剤バックまたは抗がん剤ボトルを収納するための袋として用いるのに適している。よって、その場合の使用方法について詳述しておく。
【００８５】
抗がん剤治療時に照らすと、第１操作として行う外袋体の裏返しは、抗がん剤を調合するための混合調製に先立って行うことが好ましい。つまり、がん患者の化学療法で処方される抗がん剤の調剤のための混合調製（ミキシング）に先立って、外袋体の外面が露出しないように外面を内側にして外袋体を裏返した状態しておく。具体的には、図９（ａ）および図１０（ａ）に示すように、外袋体の外面が露出しないように外面を内側にする一方、外袋体の内面の少なくとも一部が露出するようにして外袋体を折り返した状態にする。
【００８６】
次いで、第２操作として「抗がん剤で汚染された可能性がある輸液バック」を輸液バック・ボトル収納袋の内袋体の内側へと収納する。収納後、外袋体の裏返し状態・折り返し状態を解いた後、内袋体および外袋体の双方の開口端を密閉する。そして、輸液バック・ボトル収納袋に収めた輸液バック・ボトルは、その輸液バック・ボトルの実際の使用に供する現場にまで運搬されることになる。例えば、病院の薬剤部で輸液バック・ボトル収納袋に収納した輸液バック・ボトルをがん患者のベッドサイドまで運搬する。この際、輸液バック・ボトルを収納した輸液バック・ボトル収納袋の外側露出面は抗がん剤で汚染されておらず、輸液バック・ボトルを扱う医療従事者や患者が知らずに抗がん剤に曝されるといった危険は排除されている。
【００８７】
次いで、輸液バック・ボトルを用いた抗がん剤の点滴に先立っては、輸液バック・ボトル収納袋の外袋体の裏返し状態・折り返し状態を解く。例えば、開口部１１５を用いて輸液バック・ボトル収納袋を吊下げ用フック部４００に引っ掛けると輸液バック・ボトルを収納袋ごと吊り下げることができ、その吊下げ状態にしてから外袋体の裏返し状態・折り返し状態を解いてよい。裏返し状態・折り返し状態を解いた後は、その状態のままで輸液バック・ボトルによる点滴を行うことが好ましい。つまり、輸液バック・ボトル収納袋に一旦収納した輸液バック・ボトルをその輸液バック・ボトル収納袋から取り出さずそのまま輸液バック・ボトル収納袋内に収めた状態で点滴を行うことが好ましい（点滴に際しては外袋体の開口端の閉鎖状態を解除することが好ましい）。これにより、第２操作時において輸液バック・ボトル収納袋の露出面を成しており、それゆえに抗がん剤で汚染された可能性がある“外袋体の内面の一部分３１５”および“内袋体の外面の一部３１６”に誤ってまたは偶発的に触れることなく、輸液バック・ボトルによる点滴を好適に実施できる。
【００８８】
尚、点滴などの輸液バック・ボトル使用時において、輸液バック・ボトル収納袋の切欠き開口部１４０を輸液バック・ボトルの接続部品の「離脱防止用開口部」として機能させることができる。つまり、図４に示すように輸液バック・ボトル収納袋が輸液バック・ボトルと共に使用される場合では、輸液バック・ボトルに取り付けた接続部品５５０のフランジ部５５０ａが切欠き開口部１４０の周囲の袋体に係止されるようになり、それゆえ、仮に点滴チューブ５７０などが偶発的に引っ張られたとしても、接続部品５５０と輸液バック５００との間には相互に引き離す力が過度に生じることはなく、結果として、接続部品５５０の離脱が防止される。
【００８９】
図４に示す態様では、接続部品５５０がいわゆる“曝露防止システム”を備えたものとなっているが、“曝露防止システム”を備えていない場合などであっても輸液バック・ボトル収納袋によって接続部品の離脱を防止することができる。具体的には、接続部品のフランジ部が切欠き開口部の周囲の袋体に係止され得ない態様では、輸液バック・ボトルの別の備品（例えば、輸液セットビン針などの別のフランジ品５６０）などを利用して輸液バック・ボトルと接続部品との離脱防止を図ることができる。かかる場合、図１１に示すように、輸液セットビン針などの別のフランジ品５６０（即ち、鍔形状を有する備品）を、その下方に位置する外袋体の開口端の密閉部に係止させると、上述の切欠き開口部１４０と同様の効果を得ることができる。つまり、点滴チューブ５７０の偶発的な引張りなどに起因して接続部品５５０に対する下方の力が加えられたとしても、輸液セットビン針などの別のフランジ品５６０が外袋体の開口端の密閉部に支持されるので、かかる力を効果的に吸収できる。より具体的には、下方向の力に対して“反作用の力”が外袋体の開口端の密閉部に起因して働くことになり、接続部品５５０と輸液バック５００との間を相互に引き離す力は実質的に生じないようになっている。
【００９０】
本発明の輸液バック・ボトル収納袋は種々の形態を採り得る。
【００９１】
（輸液デバイス取付け態様）
本発明の袋は、輸液デバイス５２０が予め取り付けられたものであってもよい。具体的には、図１２に示すように、バックスパイクなどの曝露防止具５５０が予め取り付けられているものであってよいし、あるいは、図１３に示すように、点滴ラインなどを含む輸液セット５４０が予め取り付けられているものであってもよい。このような場合、輸液バック・ボトルの収納袋・運搬袋は輸液デバイス５２０を既に備えているといえるので、点滴に伴う一連の操作がより簡易となるだけでなく、そのような輸液デバイス５２０の整理保管性などにも優れている。輸液デバイス５２０の予めの取り付けには、接着剤または粘着テープなどを用いてよく、あるいは、取り付け部にてヒートシールなど適当な熱処理を施してもよい。
【００９２】
「輸液デバイス取付け態様」は、切欠き開口部１４０に対して輸液デバイス５２０が取り付けられて構成された態様に相当する。
【００９３】
かかる態様の本発明の袋は下記のように規定され得る。
輸液バック・ボトル収納袋であって、
相対的に内側に位置付けられた内袋体と相対的に外側に位置付けられた外袋体とから成る二重袋構造を有しており、
輸液バック・ボトル収納袋が互いに対向する２つの開口端を備え、その２つの開口端の一方が“内袋体の開口端”から構成されるのに対して、２つの開口端の他方が“外袋体の開口端”から構成されており、
内袋体の底部に切欠き開口部が設けられており、その切欠き開口部に輸液デバイスまたはその一部が取り付けられている（特に“切欠き開口部を介して内袋体に予め取り付けられている”）ことを特徴とする輸液バック・ボトル収納袋。
【００９４】
好ましくは、図示されるように、輸液デバイス５２０またはその一部のうち、先端部のみ（より具体的には「点滴などの使用時の輸液流れを想定した場合の上流側先端部のみ」、例えば「先端の“尖った部分”」または「輸液バック・ボトルとの接続部」）が内袋体の内部に位置付けられるように輸液デバイスまたはその一部が内袋体に取り付けられている。
【００９５】
「輸液デバイス取付け態様」では、内袋体の切欠き開口部１４０に対して輸液デバイス５２０またはその一部が予め取り付けられているので、輸液バック・ボトルの使用に関する操作がより簡易化される。具体的には、かかる「輸液デバイス取付け態様」では、（ａ）外袋体の外面が露出しないように外袋体の少なくとも一部を裏返した状態しておき、（ｂ）輸液バック・ボトルを内袋体の開口端から挿入して輸液バック・ボトルを内袋体の内側に納め、（ｃ）外袋体の裏返し状態を解いて、外袋体と内袋体とから成る二重袋体の内部に輸液バック・ボトルを収容し、そして、輸液バック・ボトル収納袋に収納した輸液バック・ボトルを実際の使用に供する現場にまで運び、輸液バック・ボトル収納袋から取り出すことなく袋に収めた状態で点滴を行うことになるところ、（ｂ）の輸液バック・ボトルを内袋体の内側に納めた時点で、輸液バック・ボトルと輸液デバイス５２０とを接続できるので、それ以降の操作において（即ち、輸液バック・ボトルが点滴の現場で吊り下げられた状態および／または点滴に供する直前などにおいて）輸液デバイス５２０の取り付け操作が省かれることになる。
【００９６】
かかる「輸液デバイス取付け態様」であっても、混合調製後の輸液バック・ボトルのための運搬袋として袋を好適に用いることができ、輸液バック・ボトルが袋に納められた状態をそのまま維持して輸液バック・ボトルによる点滴なども行うことができる。更には、輸液デバイス取付け態様の袋は、点滴時の収納状態をそのまま変えることなく、輸液バック・ボトルの廃棄袋としても用いることができる。よって、「輸液デバイス取付け態様」でも、輸液バック・ボトルの運搬・使用・廃棄の一連の操作が全体として簡素化されると共に、輸液バック・ボトルを使用・運搬・廃棄する者が抗がん剤によって曝露される危険が減じられる。つまり、輸液デバイス取付け態様の袋は、あくまで輸液バック・ボトルを収めた以降で外界からの遮断に供するものであるので、例えば抗がん剤によって曝露される危険が減じられる。
【００９７】
特に「輸液デバイス取付け態様」では、「混合調製後かつ点滴実施前の段階」および／または「点滴実施後の段階」において輸液バック・ボトルのみならず、それに接続された輸液デバイスを袋内に収めることができる。具体的には、「内袋体の底部」と「外袋体の密閉機構」との間に形成される空間に対して、輸液デバイスを収めることができる。よって、輸液デバイス取付け態様の袋では、外袋体の密閉機構を閉じる封止を行った際に内袋体の底部と外袋体の密閉機構との間に形成される空間の体積が「輸液バック・ボトルに接続された輸液デバイスの体積」よりも大きくなるように内袋体１００と外袋体１００との相対的な配置関係が調整されていることが好ましい。
【００９８】
かかる「輸液デバイス取付け態様」は、接着剤または粘着テープなどの適当な手段を用いて“切欠き開口部”を介した状態で内袋体の底部に輸液デバイスまたはその一部を取り付けた態様とみなすこともできる。また、その取り付けの際に接着剤または粘着テープを用いて内袋体の底部（特に底部のエッジ領域）を全体的に密封止（対向する袋体面部を互いに張り合わせるような封止）する接合処理を行ってよく、あるいは、かかる内袋体の底部をヒートシールなどの適当な熱処理に付すこと等によって、内袋体の底部を全体的に密封止する接合処理を行ってもよい（図１２または図１３に示される形態を参照のこと）。
【００９９】
かかる「輸液デバイス取付け態様」の使用法を図１４を参照して詳述しておく。まず、第１操作として、輸液バック・ボトルの輸液剤の調製に先立って外袋体を折り返した状態で設ける。つまり、輸液バック・ボトル収納袋の露出面を実質的に成すのが“外袋体の内面の一部”および“内袋体の外面の一部”となるように外袋体を裏返した状態にする。次いで、第２操作として、輸液バック・ボトル５００を内袋体１００の開口端１１０から挿入して輸液バック・ボトル５００を内袋体１００の内側に納める（図１４（A）参照）。より具体的には、図示するように、輸液バック・ボトル５００をその栓体側から入れるように、内袋体１００の開口端１１０を介して輸液バック・ボトル収納袋３００の内側へと収納する。ここで収納される輸液バック・ボトルは、生理食塩水が仕込まれた輸液バック・ボトルであってよい。あるいは、予め点滴液などの輸液が仕込まれた輸液バック・ボトルであってもよいし、更にいえば空の輸液バック・ボトルであってもよい。
【０１００】
輸液バック・ボトルの収納に際しては、輸液バック・ボトルと輸液デバイス５２０との接続を行う（図１４（Ｂ）参照）。具体的には「袋に収められた輸液バック・ボトルの栓体」と「輸液デバイス５２０の袋内部に位置する部分」とを接続することが好ましい。例えば「輸液デバイス５２０の袋内部に位置する先端部（例えば“尖った部分”）」を「袋に収められた輸液バック・ボトルの栓体（例えばゴム栓）」に突き刺すような操作を行って、それらの接続を行う。輸液バック・ボトルの収納後または上記の接続後、内袋体１００の密閉機構３５０を“閉状態”にして袋の封止を行うことが好ましい。
【０１０１】
生理食塩水が仕込まれた輸液バック・ボトル（または空の輸液バック・ボトル）であって、輸液デバイス５２０に輸液注入のための器具５２８などが備えられている場合、輸液バック・ボトルを袋に収めた後で点滴液などの輸液を輸液バック・ボトルへと仕込む操作を行ってよい（図１４（C）参照）。
【０１０２】
次いで、第３操作として外袋体の裏返し状態・折り返し状態を解き、輸液デバイス５２０を袋内に収め、外袋体２００の密閉機構３５０を“閉状態”にして袋の封止を行う。輸液デバイス５２０は、特に「内袋体の底部」と「外袋体の密閉機構」との間に形成される空間に収めることが好ましい。袋に収められた輸液バック・ボトル５００および輸液デバイス５２０は、その輸液バック・ボトルの実際の使用に供する現場にまで運搬される（図１４（Ｄ）参照）。例えば、病院の薬剤部で輸液バック・ボトル収納袋に収納した輸液バック・ボトルをがん患者のベッドサイドまで運搬する。この際、輸液バック・ボトルを収納した輸液バック・ボトル収納袋の外側露出面は抗がん剤で実質的に汚染されておらず、輸液バック・ボトルを扱う医療従事者や患者が知らずに抗がん剤に曝されるといった危険が減じられている。なぜなら、“外袋体２００の裏返し状態”を元の状態へと戻す第３操作によって、収納時に袋の露出面を成していた“外袋体の内面の一部”および“内袋体の外面の一部”が輸液バック・ボトル収納袋の内側面を成すようになる一方、収納時に袋の露出面を成さず、それゆえに汚染されていない“外袋体の本来の外面”が輸液バック・ボトル収納袋の外側面を成すようになるからである。
【０１０３】
袋に収納された輸液バック・ボトルを実際の使用に供する現場にまで運搬したら、輸液バック・ボトルによる点滴を行う（図１４（Ｅ）参照）。点滴の実施に際しては、外袋体２００の密閉機構３５０を“開状態”にし、輸液バック・ボトル５００に接続された輸液デバイス５２０を袋から部分的に出す操作を行う。そして、図１４（Ｅ）に示すように、輸液バック・ボトル５００が袋３００に全体として納められた状態を維持して輸液バック・ボトル５００による点滴を行う。
【０１０４】
点滴が終了したら、輸液バック・ボトル５００の廃棄処理を行う。廃棄処理に際しては、図１４（Ｅ）〜１４（Ｇ）に示すように輸液バック・ボトル５００に接続されている輸液デバイス５２０を袋内部に収納することが好ましい。これにより、輸液バック・ボトル５００のみならず、それに接続された輸液デバイス５２０をも一体的に安全に廃棄することができる。また、図示するように、袋３００を廃棄袋として使用するに際しては、外袋体の密閉機構３５０を閉状態にして袋の封止を行う（また、内袋体の密閉機構３５０が開状態となっている場合では、かかる内袋体の密閉機構も同様に閉状態にすることが好ましい）。これにより、使用済みの輸液バック・ボトル５００および輸液デバイス５２０を外界から好適に遮断でき、輸液バック・ボトルを扱う医療従事者や患者が抗がん剤に曝される危険を減じた状態で廃棄処理が行える。
【０１０５】
このように、本発明の輸液バック・ボトル収納袋は、廃棄袋として使用するに際して、輸液バック・ボトルに接続された輸液デバイスを袋内部に収納することによって、輸液バック・ボトルのみならず、輸液デバイスをも袋内部に詰め込んだ状態で袋の廃棄が行える。
【０１０６】
尚、廃棄処理に際いては、外袋体２００に設けられた開口部２８０を利用してよい。かかる開口部２８０は、開口端Ｂ（２１０）に設けられており、「輸液バック・ボトル収納袋を吊り下げるための開口部」に相当する。図示するように、点滴後、袋全体を上下反転させ、開口部２８０を利用して開口端Ｂ（２１０）の近傍領域をフック部に引っ掛ける。これにより、図１４（Ｆ）に示すように、開口端Ｂ（２１０）を開けた状態にできる。特に、外袋体２００の片面側の開口部２８０だけをフック部に引っ掛けると、図示する如く開口端Ｂ（２１０）が好適に大きく開いた状態となるので、輸液デバイス５２０を袋内部に収納し易くなる（つまり、廃棄処理を一人で容易に行うことができるようになる）。
【０１０７】
以上のごとく、「輸液デバイス取付け態様」であっても、袋を輸液バック・ボトルの収納および運搬のために用いるのみならず、輸液バック・ボトルによる点滴に際しても袋をそのまま用いることができる。更には、点滴の後、輸液バック・ボトルが袋に収められた状態をそのまま維持することによって、袋を廃棄袋としても用いることができる。
【０１０８】
≪輸液バック・ボトル収納袋の製造方法≫
次に、図１５を参照して、輸液バック・ボトル収納袋を製造する方法について説明する。本発明の製造方法では、まず、工程（ｉ）を実施する。つまり、図１５の上側に示すように、内袋体１００’および外袋体２００’をそれぞれ別個に用意する。
【０１０９】
かかる工程（ｉ）で用意する内袋体１００’および外袋体２００’の各々は、その一端のみが開口端となった袋体であることが好ましい。つまり、そのような一端にのみ開口端を備えた袋体を内袋体１００’および外袋体２００’として用いることが好ましい。また、内袋体１００’および外袋体２００’の各々は、その開口端に密閉機構が予め設けられていることが好ましい。例えば、雄型嵌合部と雌型嵌合部から成る開閉自在のジッパーが内袋体１００’および外袋体２００’の各々の開口端に設けられていてよい。
【０１１０】
工程（ｉ）で用意する内袋体１００’および外袋体２００’は、市販の袋体をそのまま用いてよく、あるいは、個々に成形法（例えばインフレーション成形）を通じて製造してもよい。
【０１１１】
内袋体１００’には「輸液バック・ボトル収納袋を吊り下げるための開口部１１５’」を予め形成しておいてもよい。同様に、内袋体１００’の底部には「切欠き開口部１４０」を予め形成しておいてもよい。つまり、内袋体１００’を部分的に切り欠くことによって、内袋体１００’の底部に開口部１４０を形成しておいてよい。
【０１１２】
工程（ｉ）に引き続いて工程（ｉｉ）を実施する。即ち、図１５の真ん中に示すように、“相対的に内側に設けた内袋体の開口端”を“相対的に外側に設けた外袋体の底部”から突出させ、内袋体の開口端と外袋体の開口端とを相互に丈方向に対向させる。例えば、外袋体の底部に切り込みを入れておき、その底部の切り込み部を内袋体の開口端が通るように外袋体の内側から外側に向かって内袋体を部分的に突出させる。
【０１１３】
工程（ｉｉ）に引き続いて工程（ｉｉｉ）を実施する。即ち、外袋体の底部と内袋体（特にその開口端領域）とを互いに接合させる。より具体的には、底部の切り込み部と内袋体とが密閉されるように外袋体と内袋体との接合処理を行う。接合処理は、底部の切り込み部と内袋体とが密閉されるのであれば特に制限されるものではない。例えば、接着剤または粘着テープを用いて外袋体と内袋体との接合処理を行ってよい。あるいは、外袋体の底部と内袋体の開口端領域とをヒートシールなどの適当な熱処理に付すことによって、外袋体と内袋体との接合処理を行ってもよい。
【０１１４】
以上の工程（ｉ）〜工程（ｉｉｉ）を経ることによって、互いに対向する２つの開口端の一方が“内袋体の開口端”から構成され、互いに対向する２つの開口端の他方が“外袋体の開口端”から構成された輸液バック・ボトル収納袋を得ることができる。
【０１１５】
本発明の製造方法では、工程（ｉｉｉ）の後、外袋体の外面が露出しないように、その外表面を内側にして外袋体を裏返しておいてよい。つまり、図１５の下側に示すように、輸液バック・ボトル収納袋をその外袋体の外面が露出しないように外袋体が裏返された状態にしておいてよい。より具体的には、外袋体の外面が露出しないように外面を内側にする一方、外袋体の内面の少なくとも一部が露出するように外袋体を折り返して裏返し状態を得てよい。尚、裏返し状態を好適に保持させておく観点から、外袋体を加熱処理または加温処理に付してもよい。
【０１１６】
尚、上述した本発明は、次の態様を包含していることを確認的に述べておく。
第１態様：輸液バック・ボトル収納袋であって、
相対的に内側に位置付けられた内袋体と相対的に外側に位置付けられた外袋体とから成る二重袋構造を有しており、
前記輸液バック・ボトル収納袋が互いに対向する２つの開口端を備え、該２つの開口端の一方が前記内袋体の開口端から構成されるのに対して、該２つの開口端の他方が前記外袋体の開口端から構成されており、また
前記外袋体を貫通するように前記内袋体が該外袋体から一部突出している、輸液バック・ボトル収納袋。
第２態様：上記第１態様において、前記内袋体の前記開口端が前記外袋体の底部から突出していることを特徴とする輸液バック・ボトル収納袋。
第３態様：上記第１態様または第２態様において、前記内袋体の長手方向軸と前記外袋体の長手方向軸とが互いに整合していることを特徴とする輸液バック・ボトル収納袋。
第４態様：上記第１態様〜第３態様のいずれかにおいて、前記外袋体の外面が露出しないように該外袋体の少なくとも一部が裏返されていることを特徴とする輸液バック・ボトル収納袋。
第５態様：上記第４態様において、前記外袋体に折り目が少なくとも１つ設けられるように又は前記外袋体がロール状に巻き上げられるように、該外袋体が裏返されていることを特徴とする輸液バック・ボトル収納袋。
第６態様：上記第１態様〜第５態様のいずれかにおいて、前記内袋体の底部に切欠き開口部が設けられていることを特徴とする輸液バック・ボトル収納袋。
第７態様：上記第１態様〜第６態様のいずれかにおいて、前記内袋体および前記外袋体の双方の前記開口端にて密閉機構が設けられていることを特徴とする輸液バック・ボトル収納袋。
第８態様：上記第１態様〜第７態様のいずれかにおいて、前記外袋体から前記一部突出している前記内袋体の突出部分には、前記輸液バック・ボトル収納袋を吊り下げるための開口部が設けられていることを特徴とする輸液バック・ボトル収納袋。
第９態様：上記第１態様〜第８態様のいずれかにおいて、前記内袋体の側面積Ｓ内袋が前記外袋体の側面積Ｓ外袋の８０％以下となるように該内袋体が該外袋体よりも小さくなっていることを特徴とする輸液バック・ボトル収納袋。
第１０態様：上記第１態様〜第９態様のいずれかにおいて、前記外袋体と前記内袋体とが相互に重なっていない非オーバーラップ部分であって、該外袋体の前記開口端と該内袋体の底部との間に位置する該非オーバーラップ部分が、輸液バック・ボトルの栓体に取り付けた接続部品の寸法よりも大きいことを特徴とする輸液バック・ボトル収納袋。
第１１態様：上記第１態様〜第１０態様のいずれかにおいて、前記輸液バック・ボトル収納袋が、がん治療に用いられる抗がん剤バックまたは抗がん剤ボトルを収納するための袋であることを特徴とする輸液バック・ボトル収納袋。
第１２態様：上記第６態様に従属する上記第７態様〜第１１態様のいずれかにおいて、前記内袋体の前記底部に設けられた前記切欠き開口部に輸液デバイスまたはその一部が予め取り付けられていることを特徴とする輸液バック・ボトル収納袋。
第１３態様：上記第１態様〜第１２態様のいずれかの輸液バック・ボトル収納袋を使用する方法であって、
（ａ）前記外袋体の外面が露出しないように該外袋体の少なくとも一部を裏返した状態しておくこと、
（ｂ）輸液バック・ボトルを前記内袋体の開口端から挿入して該輸液バック・ボトルを該内袋体の内側に納めること、また
（ｃ）前記外袋体の前記裏返した状態を解いて、該外袋体と前記内袋体とから成る二重袋体の内部に前記輸液バック・ボトルを収容すること
を含んで成る、輸液バック・ボトル収納袋の使用方法。
第１４態様：上記第１３態様において、前記輸液バック・ボトルの輸液剤の調製に先立って、前記外袋体の前記裏返した状態を得ておくことを特徴とする輸液バック・ボトル収納袋の使用方法。
第１５態様：上記第１４態様において、前記調製が、抗がん剤を調剤するための混合調製であることを特徴とする輸液バック・ボトル収納袋の使用方法。
第１６態様：上記第１３態様〜第１５態様のいずれかにおいて、前記（ａ）において、前記外袋体に折り目が少なくとも１つ設けられるように又は前記外袋体がロール状に巻き上げられるように、該外袋体を前記裏返した状態にすることを特徴とする輸液バック・ボトル収納袋の使用方法。
第１７態様：上記第１３態様〜第１６態様のいずれかにおいて、前記（ｃ）において、前記輸液バック・ボトル収納袋の使用者が前記外袋体の外面に実質的に触れずに該外袋体の前記裏返した状態を解くことを特徴とする輸液バック・ボトル収納袋の使用方法。
第１８態様：上記第６態様に従属する上記第１３態様〜第１７態様のいずれかにおいて、前記（ｂ）では、前記輸液バック・ボトルの栓体に取り付けた接続部品が前記内袋体の前記切欠き開口部から突出するように該輸液バック・ボトルを該内袋体の内側に収めることを特徴とする、輸液バック・ボトル収納袋の使用方法。
第１９態様：上記第１３態様〜第１８態様のいずれかにおいて、前記輸液バック・ボトル収納袋に一旦収納した前記輸液バック・ボトルを、該輸液バック・ボトル収納袋から取り出すことなく該輸液バック・ボトル収納袋に収めた状態で該輸液バック・ボトルによる点滴を行うことを特徴とする輸液バック・ボトル収納袋の使用方法。
第２０態様：上記第１９態様において、前記点滴の後、前記輸液バック・ボトルが前記輸液バック・ボトル収納袋に収められた状態をそのまま維持することによって、該輸液バック・ボトル収納袋を廃棄袋として用いることを特徴とする輸液バック・ボトル収納袋の使用方法。
第２１態様：上記第１８態様に従属する上記第１９態様において、前記点滴に際しては前記輸液バック・ボトルの前記接続部品のフランジ部が前記切欠き開口部の周囲の前記内袋体によって支持され、それによって、該輸液バック・ボトルから該接続部品が離脱されるのを防止することを特徴とする輸液バック・ボトル収納袋の使用方法。
第２２態様：上記第１態様〜第１２態様のいずれかの輸液バック・ボトル収納袋を製造する方法であって、
（ｉ）内袋体および外袋体を用意する工程、
（ｉｉ）前記内袋体の開口端と前記外袋体の開口端とが前記輸液バック・ボトル収納袋の相互に対向する開口端を成すことになるように、相対的に内側に位置付けた該内袋体の該開口端を相対的に外側に位置付けた該外袋体の底部から突出させる工程、ならびに
（ｉｉｉ）前記外袋体の前記底部と前記内袋体とを互いに接合させる工程
を含んで成る、輸液バック・ボトル収納袋の製造方法。
【０１１７】
以上、本発明の実施形態について説明してきたが、あくまでも典型例を例示したに過ぎない。従って、本発明はこれに限定されず、種々の態様が考えられることを当業者は容易に理解されよう。例えば以下の変更態様が考えられる。
【０１１８】
例えば、内袋体１００の底部に設けられる切欠き開口部１４０は、必ずしも予め“開口”している必要はなく、袋使用時に開口できるものであってもよい。具体的には、図１６に示すように、内袋体１００の底部に切込み部分１４５（例えば“ミシン目”のような形態を有する）が設けられた態様であってもよい。かかる切込み部分１４５は、その部分の破断によって破断開口１４５’をもたらすようになっている（図１６の下側図参照）。つまり、切込み部分１４５に外力を加えると、その部分が引き裂かれて開口部１４５’が形成されるようになっている。切欠き開口１４０と同様、破断開口１４５’は、輸液バック・ボトル５００の接続部品５５０のための開口部として用いることができる。具体的には、破断開口１４５’は、輸液バック・ボトルの栓体に取り付けた接続部品５５０を内袋体１００の内部から外部へと延在させるのに資する。つまり、輸液バック・ボトル収納袋の使用時においては、接続部品５５０の一部が内袋体１００から露出するように輸液バック・ボトル収納袋３００を吊り下げることができ、好適な点滴が可能となる（図４参照）。
【０１１９】
また、本発明の製造方法では、それぞれ別個に用意した内袋体１００’および外袋体２００’から輸液バック・ボトル収納袋を製造したが、必ずしもこれに限定されない。例えば、今後の成形プロセスの最適化あるいは進展によっては輸液バック・ボトル収納袋を一体成形によって製造できることを当業者は理解されるであろう。つまり、工程（ｉ）〜（ｉｉｉ）に代えて、内袋体が外袋体を貫通するような形態で外袋体の底部から内袋体の開口端が突出する二重袋構造体を一体成形して本発明の輸液バック・ボトル収納袋を得てもよい。
【産業上の利用可能性】
【０１２０】
本発明の輸液バック・ボトル収納袋は、医療現場や介護現場などで用いられる各種の輸液バック・ボトルを収納するための袋として利用できる。特に、輸液バック・ボトルががん治療の点滴に用いられる抗がん剤バックやボトルである場合、本発明は混合調製やプライミングに起因した抗がん剤曝露の防止に資することになり、医療現場で好適に利用できる。
【関連出願の相互参照】
【０１２１】
本出願は、日本国特許出願第２０１４−１１８７４７号（出願日：２０１４年６月９日、発明の名称：「輸液バック・ボトル収納袋、その使用方法および製造方法」）に基づくパリ条約上の優先権を主張する。当該出願に開示された内容は全て、この引用により、本明細書に含まれるものとする。
【符号の説明】
【０１２２】
１００    内袋体
１００’  内袋体（製造方法の工程（ｉ）で準備する内袋体）
１２０    内袋体の底部
１１０    内袋体の開口端（輸液バック・ボトル収納袋の開口端Ａ）
１１５    輸液バック・ボトルを吊り下げるための開口部
１４０    切欠き開口部（離脱防止用開口部）
１４５    切込み部分
１４５’  切込み部分の破断によって形成される破断開口
２００    外袋体
２００’  外袋体（製造方法の工程（ｉ）で準備する外袋体）
２１０    外袋体の開口端（輸液バック・ボトル収納袋の開口端Ｂ）
２２０    外袋体の底部
２８０    外袋体の開口部（輸液バック・ボトルを吊り下げるための開口部）
３００    輸液バック・ボトル収納袋
３１５    外袋体を裏返した形態の輸液バック・ボトル収納袋で露出面を成す“外袋体の内面の一部分”
３１６    外袋体を裏返した形態の輸液バック・ボトル収納袋で露出面を成す“内袋体の外面の一部分”
３５０    密閉機構
４００    吊下げ用フック部
５００    輸液バック・ボトル
５２０    輸液デバイス
５２８    輸液デバイスに備えられた輸液注入器具
５４０    点滴ラインなどを含む輸液セット
５５０    接続部品（例えば曝露防止システムを備えた接続部品）
５５０ａ  接続部品のフランジ部
５５０’  接続部品（例えば曝露防止システムを備えていない接続部品）
５６０    フランジ品
５７０    点滴チューブ
【図１】
0006517797.tif 000002
【図２】
0006517797.tif 000003
【図３】
0006517797.tif 000004
【図４】
0006517797.tif 000005
【図５】
0006517797.tif 000006
【図６】
0006517797.tif 000007
【図７】
0006517797.tif 000008
【図８】
0006517797.tif 000009
【図９】
0006517797.tif 000010
【図１０】
0006517797.tif 000011
【図１１】
0006517797.tif 000012
【図１２】
0006517797.tif 000013
【図１３】
0006517797.tif 000014
【図１４】
0006517797.tif 000015
【図１５】
0006517797.tif 000016
【図１６】
0006517797.tif 000017